(57)【要約】      （修正有）【課題】ＬＥＤ照明器具において口出線により照明器具内の電気的接続点に張力が加わり、電気接続が損なわれることのないような構造で、組立が容易な信頼性の高い張力止機構部品を備えたＬＥＤ照明器具を提供する。【解決手段】ＬＥＤ照明器具３の筐体端部近辺に絶縁体である樹脂で成形した張力止機構部品５を設ける。この部品の口出線４が通過する部分に複数の突起１２、１３、１４を互い違いに設け、これらの突起により口出線を凹凸に変形させ、口出線４の動きを拘束させる張力止機構部品５を該ＬＥＤ照明器具の筐体１に粘着設置させる。【選択図】図１
0003182434.tif 000002
【実用新案登録請求の範囲】
【請求項１】
口出線を有する発光ダイオードを光源とするＬＥＤ照明器具において、口出線に張力が加わっても、口出線に接続されている器具内部の電気的接続点に張力が加わらないよう、張力止構造部品を設けた照明器具において、張力止構造部品が口出線を挟んだ状態で、張力止構造部品の一面をＬＥＤ照明器具の筐体に粘着させていることを特徴とするＬＥＤ照明器具。
【請求項２】
口出線が通る内部の空間部において、口出線のスムーズな通過を阻害するための第一の突起部と、第一の突起部を挟んでその外側に第二、第三の突起部の合計３個の突起部を１組とし、口出線を互い違いに当接させ挟み込む張力止構造部品において、該張力止構造部品を照明器具の筐体内部に粘着させていることを特徴とするＬＥＤ照明器具。
【請求項３】
張力止構造部品が絶縁体である樹脂材からなることを特徴とする請求項１または請求項２に記載のＬＥＤ照明器具。
【請求項４】
外径寸法の異なる２種類以上の口出線に適応するよう、口出線と当接する突起部の面に段差を設けたことを特徴とする請求項１ないし請求項３のいずれか１項に記載のＬＥＤ照明器具。
【考案の詳細な説明】
【技術分野】
【０００１】  口出線の張力止機構を備えた照明器具では、器具内に設けられたボスに電線を巻付けたり、電線の出入口で電線に結び目を付けたりして張力止めをしていることが多い。このような場合、口出線の張力止機構部品が備えられる場所は、器具の筐体に対し予め定められており、接続する外部電源電線の外径や本数によってはＬＥＤ照明器具の内部に自由な空間が取れない場合が多い。本考案は張力止機構部品がＬＥＤ照明器具の筐体に押圧されると共に、所望の場所に収納固着され、接続する外部電源電線との接続空間が容易に得られるよう、簡単な構造を有する張力止機構部品を器具内部に備えたＬＥＤ照明器具に関するものである。
【背景技術】
【０００２】線を通じてＬＥＤ照明器具内の電気接続部に不必要な力が加わらないようにした、安全で品質の高い、安価な張力止機構部品を備えたＬＥＤ照明器具を提供しようとするものである。
【先行技術文献】
【特許文献】
【特許文献１】特開２０１２−１１９０７１【０  ＬＥＤ照明器具を天井や壁などの建築物に取付ける場合、ＬＥＤ照明器具と外部電源電線との接続には安全のため、一般的には器具の口出線と外部電源電線はアウトレットボックス内で接続したり、外部電源電線を器具内部に引込み、器具の口出線や端子台と接続することが多い。【０００３】  本提案の口出線の張力止機構部品を備えたＬＥＤ照明器具の概要を以下に説明する。
ＬＥＤ照明器具においては光源となるＬＥＤ素子が小さく、光束も少ないため、全般照明用としてはＬＥＤ素子を一列に沢山並べて大きな光束の細長い照明器具にすることが多い。このとき、ＬＥＤ照明器具のコストを下げるため、器具の材料や部品点数が少なく、組立工数も少ない、安価で品質の安定した器具の提供が要求される。特に材料を少なくすることは重要なことで、器具の機械的強度を損なわない範囲で器具の筐体も小形化していく。このため、ＬＥＤ照明器具内において外部電源電線と口出線との接続部空間が狭くなり、電線が無理に引っ張られたり、折りたためられたりして、外部電源電線から口出線を経由して最初に接続されるＬＥＤ照明器具内の電気接続部には無理な力が加わる恐れが生ずる。本提案はＬＥＤ照明器具を出入りする口出線や外部電源電００４】
特許文献１には本考案と同様、張力止効果が大きく、組立性に優れた電線の張力止構造および照明器具に関する提案がなされている。【０００５】  ここでは、ＬＥＤ照明器具の器具本体の外部に引き出される電線を引止めるための電線引止め部が電線カバーと共働して備えられている。このカバーには器具本体の突片に対抗する電線を挿入するＵ溝が形成されている。この本体Ｕ溝とカバーＵ溝とが重なってできる電線挿通空間部を電線の断面積より小さくなるよう形成することにより、電線が挟み込まれたときに張力止めの効果が得られるようにしている。【０００６】  ところがこのような特許文献１の口出線張力止機構の場合
１．器具本体にＵ溝を設け、カバーを被せて得る構造のため、電線を出し入れする場所が特定されてしまい、器具の設計の自由度が損なわれてしまう。
２．張力止機構が設けられる場所によっては、電線が直角方向に引張られると容易にカバーが外れ、張力止め機能が失われてしまう恐れがある。
３．張力止機構に挟まれる電線の外径が異なると、電線にテープを巻くとかチューブを被せるなどの補足をしないと性能が発揮できない場合がある。
といった不具合がある。
【考案の概要】
【考案が解決しようとする課題】
【０００７】  図１をもとに説明する
細長い器具の筐体１を備え、その筐体の内部にＬＥＤを点灯するための電気的駆動部２を備えたＬＥＤ照明器具３において、筐体１を出入りする口出線４により電気的駆動部２の電気接続点に張力が加わり、電気的接続が損なわれることがないよう樹脂製の張力止機構部品５を挿入する。このとき［０００６］で説明した不具合を解決すると共に、簡便で安価で安全な張力止機構部品５を有するＬＥＤ照明器具３を提供するようにする。【０００８】  本考案は上記状況を鑑みてなされたもので、組立性に優れた口出線の張力止機構部品５を備えたＬＥＤ照明器具を提供するものである。
【課題を解決するための手段】
【０００９】  上記課題を解決するためのＬＥＤ照明器具の張力止機構部品５は図２に示す形状の絶縁性のよい樹脂製でつくられる。この部品は口出線４の入口側７と出口側８とが連通した空洞９を有し、この空洞と連通する溝１１が部品の外表面１０から空洞に向かって開いている。
さらに、この空洞を通過する口出線４に両側から当接するよう突起部１２，１３，１４が口出線４の両側に設置されている。この突起部は少なくとも３個からなっており、真中の突起部１２は両側の突起部１３，１４に挟まれて配置されている。この３個の突起部１２，１３，１４で作られた隙間により口出線４は蛇行し、挟まれ、動きが拘束される。これにより入口側７の口出線４を引いても押しても出口側８の口出線４は動かない。同様に出口側８の口出線４を押しても引いても入口側７の口出線４は動かない。この結果、口出線４の張力止めが達成される。【００１０】  外表面１０から口出線４が連通する空洞９に向かって開けられる溝１１は、口出線４を挟む３個の突起部１２，１３，１４を結ぶ隙間と、ほぼ平行になるよう形成されている。この外表面１０に作られた溝１１から口出線４を押し込むことにより簡便に口出線４の張力止め効果が達成される。【００１１】  口出線４を挟む突起部１２、１３，１４が３個で張力止めが不十分なら、同様な突起部を１〜２個追加すれば張力止めをさらに強固なものにすることができる。【００１２】  前記張力止機構部品５はＬＥＤ照明器具３の筐体１の端部近くに両面粘着剤付テープ６で固着される。このとき、張力止機構部品５は筐体１で締付けられ、粘着部では浮く力が働くが、粘着剤付テープ６の反発力で筐体１に納まった後はしっかりと固着される。
【考案の効果】
【００１３】  本考案の張力止構造部品５は口出線４の挿通部で口出線４に凹凸を付けて挟込むことにより、ずれにくい大きな張力止め効果を得ることができる。また、口出線４の挿通に合わせて口出線４を溝１１から押込むことにより、自動的に口出線４が挟み込まれ、ＬＥＤ照明器具３の組立が容易になる。【００１４】  本考案の張力止構造部品５は絶縁体である樹脂製のために、想定外に口出線４が強く引っ張られ口出線４の導体が露出しても、張力止構造部品５を通して異極電線間が短絡したり、筐体を経由して地絡したりする危険性を少なくすることができる。【００１５】  本考案の張力止構造部品５はＬＥＤ照明器具３の筐体１とは別個につくられているので、筐体１の長さが変わっても、自由な位置に固着することができ、設計の自由度があり、ＬＥＤ照明器具３を安価につくることができる。【００１６】  張力止構造部品５の底面がＬＥＤ照明器具３の筐体１の内部に両面粘着材付テープ６を使って取付けられているので、口出線４が器具の外方向に強く引張られても張力止構造部品５が脱落することはない。
【図面の簡単な説明】
【００１７】
【図１】本考案にかかわるＬＥＤ照明器具における口出線引出部の要部拡大断面斜視図である。
【図２】本考案にかかわる張力止構造部品の斜視図である。
【図３】本考案にかかわる張力止構造部品がＬＥＤ照明器具に挿着され、張力止構造部品の突起部により口出線が係止されている状態の斜視図である。
【図４】本考案にかかわる突起部に段差を設けた状態の張力止構造部品の斜視図である。
【考案を実施するための形態】
【実施例】
【００１８】  以下、本考案の実施の形態を、［図１］本考案にかかわるＬＥＤ照明器具における口出線引出部の要部拡大断面斜視図、［図２］本考案にかかわる張力止構造部品の斜視図、［図３］本考案にかかわる張力止構造部品がＬＥＤ照明器具に挿着され、張力止構造部品の突起部により口出線が係止されている状態の斜視図、［図４］本考案にかかわる突起部に段差を設けた状態の張力止構造部品の斜視図をもとに説明する。【００１９】  本考案にかかわるＬＥＤ照明器具３は細長い筐体１の上に、ＬＥＤ素子１５を１列に並べたもので、口出線４は、細長い筐体１の長手端部１６から出入りする。このため、口出線４の張力止構造部品５は筐体１の端部付近に配置される。口出線４は筐体１の長手方向にほぼ平行に出入りするので、張力止構造部品５は、筐体１の長手方向の張力に口出線４が絶えるようにすることがよい。以上の理由から張力止構造部品５の外表面１０の内側で蛇行する口出線４の方向は基本的には筐体１の長手方向と一致している。このようにすれば筐体１の長手方向と平行な方向の力に対して本考案の張力止構造部品５は張力止めを効果的に発揮する。【００２０】  次に、本考案にかかわる他の実施形態の張力止構造部品について説明する。
［図４］は口出線４が挟み込まれる隙間に段差１７を設けることにより外径の異なる口出線４に対しても張力止めを効果的に発揮することができることを示す張力止構造部品の斜視図である。
【産業上の利用可能性】
【００２１】  本考案は細長い筐体１を有するＬＥＤ照明器具において口出線４から受ける張力により、器具内の電気部品の端子部に力が加わり電気接続が損なわれることを防ぐ、組立が容易で信頼性の高い張力止構造部品を備えたＬＥＤ照明器具を提供できる。
【符号の説明】
【００２２】  １  筐体                      ７  入口側          １３  両側の突起部
２  電気的駆動部              ８  出口側          １４  両側の突起部
３  ＬＥＤ照明器具            ９  空洞            １５  ＬＥＤ素子
４  口出線                  １０  外表面          １６  筐体の長手端部
５  張力止機構部品          １１  溝              １７  段差
６  両面粘着材付テープ      １２  真中の突起部
【図１】
0003182434.tif 000003
【図２】
0003182434.tif 000004
【図３】
0003182434.tif 000005
【図４】
0003182434.tif 000006